(57)【特許請求の範囲】
【請求項１】
各々側面視で楔状をなす上型、中型及び下型を上下に重ね合わせてなり、その中型に螺合されて前後方向に延びる調整ボルトと、この調整ボルトを軸支しながらその前後方向への移動を規制する支柱と、を備えて、該調整ボルトの回転によって中型を前後方向に移動させることにより上型の高さを調整する高さ調整機構において、
前記上型の左右少なくとも一方の側面には、その下面と平行に延びる係合溝が開口形成され、
前記下型の少なくとも前記一方の側面には、その上面と平行に延びる係合溝が開口形成され、
上下両端に各々設けられた係合部が、それぞれ前記上型及び下型の各係合溝にスライド自在に係合されて、当該上型及び下型を連結するスライド連結部材を備えている
ことを特徴とする高さ調整機構。
【請求項２】
上型及び下型には、互いに上下に対向する位置にそれぞれボルトの貫通孔が形成されている、請求項１に記載の高さ調整機構。
【請求項３】
スライド連結部材が中型の側面に固定されている、請求項１又は２のいずれかに記載の高さ調整機構。
【請求項４】
スライド連結部材が左右両側に備えられている、請求項１〜３のいずれか１つに記載の高さ調整機構。
【請求項５】
請求項１〜４のいずれか１つに記載の高さ調整機構を備えることを特徴とするレベリング装置。
【請求項６】
上型の上面には、凹球面からなる円環状の座面がボルト貫通孔を囲んで形成され、この座面上に、据え付ける装置の荷重を受ける円環状の荷重受け部材が摺動自在に載置されている、請求項５に記載のレベリング装置。
【発明の詳細な説明】
【技術分野】
【０００１】
本発明は、例えば工作機械等の据え付けに用いられるレベリング装置に関し、特にその高さを調整する機構の構造に係る。
【背景技術】
【０００２】
従来より、工作機械や半導体関連の製造装置等、重量の大きな装置類を水平状態に据え付けるために、高さ調整機構を備えたレベリング装置が使用されている。レべリング装置は通常３〜４個が使用されて、工作機械等の各脚部を支持するように配置される。例えば特許文献１、２には、各々楔状の上型、中型、下型の３つを互い違いに３段重ねにしてなり、調整ボルトにより中型を前後方向に移動させることで、その高さを調整するようにしたものが記載されている。
【０００３】
特許文献１のものは、上型を下型側に付勢しながら連結するためのピンを設けて３つの型を一体化し、その持ち運びをしやすくしており、その付勢ピンが収容される上型のボス部との干渉を避けるために、中型には凹陥部（同文献には飲み込み溝Ｇ２と記載）を設けている。
【０００４】
一方、特許文献２のものでは、上型及び下型のそれぞれに上下に対向するように貫通孔を設けて、上型を貫通させた固定用ボルトを下型の貫通孔（ボルト穴）にねじ込むようにしたり、或いはその下型も貫通させて、アンカーボルトとして床に固定できるようにしている。
【特許文献１】特開２００６−２２４２３０号公報
【特許文献２】特許第３１９２８６１号公報
【発明の開示】
【発明が解決しようとする課題】
【０００５】
ところで、前者の従来例（特許文献１）のものでは、工作機械の脚部等に締結するためのボルトは、上型の上面に開口するねじ孔にねじ込むようにしているが、このボルトを後者の従来例（特許文献２）のように下型まで貫通させたり、或いはその下型も貫通させて床に固定するようにすれば、これにより３つの型を共締めして全体の剛性を高めることができる。
【０００６】
しかしながら、そうして上下に貫通するアンカーボルト等を設けようとすると、同様に上下に延びる付勢ピンとのスペースの取り合いが問題になり、それら両方との干渉を避け得るような大きな空間を内部に設けるとすれば、中型の剛性、強度が不足するか、或いは装置全体を大型化せざるを得ないという実状がある。
【０００７】
本発明は、斯かる点に鑑みてなされたものであり、その目的は、各々楔状の上型、中型及び下型を互い違いに重ね合わせてなる高さ調整機構において、徒な大型化を招くことなく、固定用のボルトが上下に貫通可能な構造としながら、それを容易に持ち運べるようにもすることにある。
【課題を解決するための手段】
【０００８】
前記の目的を達成するために本発明では、従来例（特許文献１）の付勢ピンに代えて、上型及び下型をその側面において連結する連結部材を設け、この連結部材を上型及び下型の側面に開口させた溝に沿ってスライドさせる構成とした。
【０００９】
すなわち、請求項１の発明は、各々側面視で楔状をなす上型、中型及び下型を上下に重ね合わせてなり、その中型に螺合されて前後方向に延びる調整ボルトと、この調整ボルトを軸支しながらその前後方向への移動を規制する支柱と、を備えて、該調整ボルトの回転によって中型を前後方向に移動させることにより上型の高さを調整する高さ調整機構を対象とする。
【００１０】
そして、前記上型の左右少なくとも一方の側面には、その下面と平行に延びる係合溝を開口形成する一方、下型の少なくとも前記一方の側面には、その上面と平行に延びる係合溝を開口形成し、その上で、上下両端に各々設けられた係合部が、それぞれ前記上型及び下型の各係合溝にスライド自在に係合されて、当該上型及び下型を連結するスライド連結部材を備える構成とした。
【００１１】
前記構成の高さ調整機構では、調整ボルトの回転により中型を前後方向に移動させると、この中型が下型の上面に沿って前後に摺動しながら上下にも変位するようになり、同時に、その中型の上面に沿って相対的に前後に移動する上型も上下に変位するようになる。よって、仮に工作機械等の大荷重を受けている状態でも、上型上面の高さ、即ち全体の高さ位置をスムーズに変更することができる。
【００１２】
そうして上型の高さが変化すると、この上型の側面に開口する係合溝の高さ位置も変化し、その分、下型の係合溝との間隔（全体的な間隔）も変化することになるが、これら上下の係合溝は各々、側面視楔状をなす中型の上面及び下面に平行に延びていて、それ自体楔状をなすように配置されているから、両溝同士の全体的な間隔が変化しても、そこには所定の間隔となる部位が常に存在する。すなわち、上下の係合溝同士が離れれば、両者間における所定間隔の部位は楔の小端側に移動し、一方、係合溝同士が近づけば大端側に移動するのである。
【００１３】
そこで、前記上型及び下型を連結する連結部材を設け、その上端及び下端の各係合部をそれぞれ上下の各係合溝にスライド自在に係合させれば、この連結部材（スライド連結部材）が前後にスライド移動することによって、前記のように上型の高さ、即ち調整機構の高さが変化しても、それらの連結状態が維持されるようになる。そうしてスライド連結部材によって３つの型を一体的に連結すれば、その持ち運びが容易になる。
【００１４】
前記スライド連結部材は、上型の高さが高くなり、上下の係合溝同士が離れるに連れてその係合溝の構成する楔の小端側に移動する。それが楔の小端に位置してそれ以上、スライド移動できなくなるときが、上型の最高位置であり、反対にスライド連結部材が楔の大端に位置するときが上型の最低位置である。つまり、スライド連結部材は、高さ調整機構の最高位置、最低位置をそれぞれ規定するストッパとしても機能する。
【００１５】
また、前記スライド連結部材を設ければ、従来例（特許文献１）のような付勢ピンは不用になるので、これとのスペースの取り合いを気にすることなく、上型及び下型の平面視で中央部寄りの部位には、互いに上下に対向する位置にそれぞれ固定用ボルトの貫通孔を形成することができる（請求項２）。中型には、それが前後に移動する際に前記ボルトとの干渉を避けるように溝部や凹陥部等を設ける必要があるが、これはあまり大きくしなくてもよいので、剛性や強度不足の心配は少なく、機構が徒に大型化することもない。
【００１６】
好ましいのはスライド連結部材を中型の側面に固定することであり（請求項３）、こうすれば、中型の前後への移動に同期してスライド連結部材の上下の各係合部が、上型及び下型の各係合溝内を前後に移動することになり、それが引っ掛かったりすることなくスムーズで安定した動作が可能になる。また、スライド連結部材を左右両側に備えれば、これにより３つの型をしっかりと一体化でき、より好ましい（請求項４）。
【００１７】
前記のような高さ調整機構は、例えば工作機械等の据え付けに用いるレベリング装置に好適であり（請求項５）、その場合に好ましいのは、凹球面からなる円環状の座面を上型の上面にボルト貫通孔を囲むように形成し、その座面上に、据え付ける装置の荷重を受ける円環状の荷重受け部材を摺動自在に載置することである（請求項６）。こうすれば、装置を据え付ける床に傾斜があっても荷重受け部材の揺動によって吸収できる。
【発明の効果】
【００１８】
以上のように、本発明に係る高さ調整機構及びレベリング装置によると、楔状の上型、中型及び下型を互い違いに重ね合わせ、その上型及び下型を側面にて連結するスライド連結部材を設けたことで、持ち運びが容易になるとともに、従来までの付勢ピンが不用になるので、これとのスペースの取り合いを気にすることなく、固定用のボルトが上下に貫通可能な構造として、全体の剛性を高めることができる。また、そのボルトとの干渉を避けるために内部に設ける空間はあまり大きくしなくてもよいので、中型の剛性、強度不足を生じる心配はなく、装置全体が徒に大型化することもない。
【発明を実施するための最良の形態】
【００１９】
以下、本発明の実施の形態を図面に基づいて説明する。尚、以下の好ましい実施形態の説明は、本質的に例示に過ぎず、本発明、その適用物或いはその用途を制限することを意図するものではない。
【００２０】
図１〜３は、本発明に係る高さ調整機構を備えたレベリング装置１を示す。図１は装置外観を示す斜視図であり、図２はそのII−II線における断面図、図３は分解斜視図である。このレベリング装置１は、各々側面視で楔状をなす上型２、中型３及び下型４を互い違いに３段重ねしたもので、中型３に螺合されて後方（図１、３では右奥方）に延びる調整ボルト５と、この調整ボルト５を軸支しながらその前後方向への移動を規制する支柱６と、を備えている。
【００２１】
詳細は以下に述べるが、支柱６は、その上下両端部をそれぞれ上型２及び下型４の案内孔２ｂ、４ｂに摺動自在に嵌挿されており、この支柱６によって前後への移動を規制されている調整ボルト５が回転すると、中型３が上型２及び下型４に対して相対的に前後方向に移動し、これによって上型２の上面の高さ、即ちレベリング装置１の高さ位置が変更されるようになる。
【００２２】
また、本発明の特徴として、レベリング装置１の左右両側にはそれぞれスライド連結金具７，７が配設されており、前記のような中型３の上型２及び下型４に対する前後移動を許容し、且つそれに伴い高さが変化しても、それら３つの型２〜４を一体的に連結するようになっている。こうして３つの型２〜４を一体化すれば、レベリング装置１の持ち運びが比較的容易に行える。以下、下型４から順に詳しく説明する。
【００２３】
−下型−
下型４は、上面に一対の傾斜面４ａ，４ａを有するブロックであり、図の例では傾斜面４ａ，４ａは、下型４の上面における左右両側寄りにそれぞれ帯状に設けられて、前端部（図１、３では左手前側の端部）から後端側にかけて上り傾斜となっている。下型４の後部は、傾斜面４ａの後端から段状に低くなっており、その中間部位には支柱６の下端部が嵌挿される断面円形の案内孔４ｂが開口している。
【００２４】
この案内孔４ｂの左右両側から上方に立ち上がる立壁部４ｃ，４ｃが形成される一方、案内孔４ｂの前側には調整ボルト５のカラー５１との干渉を避けるように凹部４ｄが形成されている。また、その凹部４ｄの前側に隣接して断面円形の孔部４ｅ，４ｅが開口している。この孔部４ｅの一方は、内周面にねじが螺刻されたねじ孔であって、図示しない固定用ボルトの下端がねじ込まれる。他方の孔部４ｅは貫通孔であり、図示しないアンカーボルトが挿入される。
【００２５】
さらに、下型４の左右両側面には、それぞれ、上面の傾斜面４ａに平行な係合溝４ｆが概ねその傾斜面４ａの前端部から後端部に亘って形成されていて、そこにはスライド連結金具７（スライド連結部材）の下端の折曲部７ａ（係合部）がスライド自在に係合されるようになっている。
【００２６】
−中型−
中型３は、その上下両面にそれぞれ傾斜面３ａ，３ｂを有し、それらは、前記した下型４上面の傾斜面４ａや後述する上型２下面の傾斜面２ａに対応して、上下各面における左右両側寄りに設けられている。中型３の上面の傾斜面３ａ，３ａは、図示の如く前端部から後端部にかけて下り傾斜となっており、一方、下面の傾斜面３ｂ（図５も参照）は、前端部から後端部にかけて上り傾斜となっている。
【００２７】
また、中型３は、そうして傾斜面３ａ，３ｂの形成されている左右両側寄りの部位を除いた中央部の後半部分が欠落しており（換言すれば凹陥部が形成されており）、それら左右両側の部分が前部において連結された平面視コ字状になっている。その連結部の左右方向の中央部位には、調整ボルト５の軸部が螺合されるねじ孔３ｃが前後方向に貫通形成されている。また、ねじ孔３ｃの左右両側には、それぞれ、図示しないアンカーボルト等との干渉を回避するように、連結部の後面から前方に向かって凹陥するＵ字断面の凹部３ｄ，３ｄが形成されている。
【００２８】
前記中型３の下面の傾斜面３ｂ，３ｂは、下型４上面の傾斜面４ａ，４ａに摺動自在に重ね合わされており、前記のように調整ボルト５の回転によって前後に移動するときに、中型３は下型４の傾斜面４ａに沿って上下方向にも変位するようになる。すなわち、中型３は、前進するのに連れて下型４の傾斜面４ａを登ることになり、後退するのに連れて傾斜面４ａを下ることになる。
【００２９】
さらに、中型３の左右両側面には、それぞれ、前後方向の中央付近（図の例ではやや前より）にスライド連結金具７を締結するための２つのねじ孔３ｅ，３ｅが前後に並んで開口しており、該スライド連結金具７の上下の略中央に形成された取付部７ｂが重ね合わされてねじ止めされるようになっている。
【００３０】
−上型−
上型２は概ね前記下型４を上下に反転させた構造であり、その下面に一対の傾斜面２ａを有する（図５も参照）。この傾斜面２ａ，２ａは、中型３上面の傾斜面３ａ，３ａに対応して上型２の下面における左右両側寄りの部位にそれぞれ前端部から後端部にかけて下り傾斜となるように設けられている。これらの傾斜面２ａ，２ａが中型３上面の傾斜面３ａ，３ａに沿って前後に相対移動すると、上型２は、中型３に対して上下方向にも変位するようになる。
【００３１】
また、上型２の後部は前記傾斜面２ａの後端から段状に高くなっていて、その中央部位に支柱６上端の嵌挿される案内孔２ｂが開口している。この案内孔２ｂの左右両側には立壁部２ｃ，２ｃが、また前側には凹陥部２ｄがそれぞれ形成され、さらにその凹陥部２ｄの前側には下型４の孔部４ｅ，４ｅの上方に対向するように、ボルトの貫通孔２ｅ，２ｅが形成されている。この貫通孔２ｅ，２ｅは、いずれも内周面にねじの螺刻されていないものである。
【００３２】
それらの貫通孔２ｅ，２ｅが開口する上型３の上面には、円環状の受け座２１（荷重受け部材）の載置される座面２ｆがやや上方に突出して形成されている。この座面２ｆは、前記貫通孔２ｅ，２ｅの開口部を囲んで円環状に形成されるとともに、凹球面からなるもので、これに対応して受け座２１の下部に形成されている凸球面と摺動自在に接している。この受け座２１の揺動によって、レベリング装置１を据え付ける床面の傾斜を吸収することができる。
【００３３】
さらに、上型２の左右両側面には、それぞれ、下面の傾斜面２ａに平行な係合溝２ｇが概ねその傾斜面２ａの前端部から後端部に亘って形成されていて、そこにはスライド連結金具７（スライド連結部材）の上端の折曲部７ａ（係合部）がスライド自在に係合されるようになっている。
【００３４】
−調整ボルト及び支柱−
調整ボルト５は、その基端に設けられた頭部５ａから先端側へ向かう所定範囲に亘って軸部５ｂにねじが螺刻されておらず、この範囲が支柱６の軸受孔６ａによって軸支されることで、スムーズに回転するようになっている。そうしてねじが螺刻されていない範囲とその先のねじが螺刻された範囲との境界には環状溝５ｃが形成されていて、この環状溝５ｃにはカラー５１を貫通する留めねじ（図示せず）の先端が係止されている。
【００３５】
これによりカラー５１は、ボルト５の軸部５ｂに対しその軸方向に移動不能に取り付けられ、ワッシャ５２を介して支柱６の前部に接している。一方、支柱６の後部にはワッシャ５３を介してボルト５の頭部５ａが接しており、支柱６はカラー５１と調整ボルト５の頭部５ａとの間に挟まれてボルト軸方向には移動不能になっている。このことで、調整ボルト５がその前後方向への移動を支柱６によって規制されることになる。
【００３６】
−スライド連結金具−
スライド連結金具７は例えば薄板のプレス成形品であり、図４に拡大して断面で示すように、上端及び下端にそれぞれ裏側へ折り曲げられた折曲部７ａ，７ａが形成されて、上型２及び下型４の各係合溝２ｇ，４ｆに係合されるとともに、スライド連結金具７の中央部には裏側へ突出するように折り曲げられて土手状の取付部７ｂが形成され、そこには２つの丸穴７ｃ，７ｃが並んで設けられている。この２つの丸穴７ｃ，７ｃは、中型３の側面に開口する２つのねじ孔３ｅ，３ｅに重ね合わされ、それぞれにねじ７１、７１が挿入されて締結される。
【００３７】
そうして中央の取付部７ｂが中型３の側面に重ね合わされて締結されると、スライド連結金具７の上下両端の折曲部７ａ，７ａが、それぞれ、上型２及び下型４の各係合溝２ｇ、４ｆにスライド自在に係合される。ここで、図５のように側方から視ると、上型２及び下型４の各係合溝２ｇ、４ｆは、レベリング装置１の後側から前側に向かって徐々に間隔が拡大する楔状に配置されているから、スライド連結金具７の上下の折曲部７ａ，７ａも前記と同じ楔状をなすように傾斜状態で設けられている。
【００３８】
−レベリング装置の動作−
次に、この実施形態のレベリング装置１（高さ調整機構）の動作について図５を参照して説明する。同図(a)に示すのは中型３が上型２及び下型４に対して前後にずれていない状態であり、このときの中型３の位置を以下、基準位置と呼ぶ。この基準位置では、スライド連結金具７が上型２及び下型４の各係合溝２ｇ、４ｆの中央に位置付けられる。また、中型３下面の傾斜面３ｂ全体が下型４の傾斜面４ａに重なるとともに、中型３上面の傾斜面３ａ全体に上型２の傾斜面２ａが重なっていて、安定性が非常に高い。
【００３９】
前記の状態から調整ボルト５を左回りに回転させると、これによる推力を受けて中型３が前方に移動する。このとき調整ボルト５は、支柱６によって前後方向への移動を規制されている。中型３は、下型４の傾斜面４ａに沿って前方に移動しながら徐々に下降してゆき、これとともに調整ボルト５も下降して、支柱６が上型２及び下型４の案内孔２ｂ，４ｂ内を下降するようになる。
【００４０】
また、そうして中型３が前方に移動すると、この中型３に対し相対的には後退する上型２は、中型３の上面の傾斜面３ａに沿って徐々に下降することになり、前記した中型３の下降と合わせて、上型２の上面の高さ、即ちレベリング装置１全体の高さが徐々に低くなってゆく。こうして上型２が下降してゆくとその係合溝２ｇの高さも低くなって、下型４の係合溝４ｆとの間隔（全体的な間隔）が狭くなってゆく。
【００４１】
そのように係合溝２ｇ，４ｆの間隔が全体としては狭くなっていっても、中型３と共に前方へ移動するスライド連結金具７は、楔状に配置された２つの係合溝２ｇ，４ｆに跨ってその大端側に移動することになるから、当該スライド連結金具７による連結部位においては両係合溝２ｇ，４ｆの間隔は変化しない。よって、前記のように上型２の高さが変化しても、それと中型３及び下型４との連結状態は維持される。
【００４２】
そして、同図(b)に示すように中型３が最大限、前方に移動すると、スライド連結金具７が上型２及び下型４の各係合溝２ｇ、４ｆの前端に、即ち、それらの溝の間隔が最も大きな楔の大端に位置して、それ以上、前方には移動できなくなる。このとき、レベリング装置１の高さが最も低くなる（以下、最低位置と呼ぶ）。つまり、スライド連結金具７はレベリング装置１の最低位置を規定するストッパとして機能する。
【００４３】
一方、前記図(a)の基準位置から調整ボルト５を右回りに回転させると、今度は、中型３が下型４の傾斜面４ａに沿って後方移動しながら徐々に上昇し、これに伴い調整ボルト５や支柱６も上昇するようになる。また、その中型３に対し相対的には前進する上型２は、中型３上面の傾斜面３ａに沿って上昇することになり、前記中型３の上昇と合わせて、上型２の上面、即ちレベリング装置１の高さが徐々に高くなってゆく。
【００４４】
そうして上型２が上昇してゆくときには、その係合溝２ｇと下型４の係合溝４ｆとの間隔は全体としては拡がることになるが、これと同期するようにスライド連結金具７が中型３と共に後方に、即ち楔状をなす係合溝２ｇ，４ｆの小端側に移動することになるから、当該スライド連結金具７による連結部位においては両係合溝２ｇ，４ｆの間隔は変化せず、上型２、中型３及び下型４の連結状態が維持される。
【００４５】
尚、図示しない固定用ボルトやアンカーボルトが上型２から下型４にかけて上下に貫通している場合、それらは、中型３が後方に移動するに連れて、その連結部の後部に形成された凹部３ｄに飲み込まれてゆくことになり、中型３と干渉することはない。
【００４６】
そして、同図(c)に示すように中型３が最大限、後方に移動すれば、スライド連結金具７が上型２及び下型４の各係合溝２ｇ、４ｆの後端に、即ち、それらの溝の間隔が最も小さな楔の小端に位置して、それ以上、後方には移動できなくなる。このとき、レベリング装置１の高さが最も高くなる（以下、最高位置と呼ぶ）。こうしてスライド連結金具７はレベリング装置１の最高位置をも規定する。
【００４７】
したがって、この実施形態１に係るレベリング装置１によると、まず、各々楔状をなす上型２、中型３及び下型４を互い違いに重ね合わせ、中型３を上型２、下型４に対し前後に相対移動させることによって、その高さを変更する構造としたので、工作機械等の大きな荷重を受ける状態でもスムーズな高さ調整が行える。
【００４８】
また、前記３つの型２〜４を左右両側のスライド連結金具７によってしっかりと連結できるので、その持ち運びが容易になる。従来までの付勢ピンが不用になることから、これとのスペースの取り合いを気にすることなく、アンカーボルト等を上下に貫通させて、全体剛性を向上することも可能になる。
【００４９】
その場合、中型３には、それが前後に移動する際にアンカーボルト等との干渉を避けるように凹陥部を設けなくてはならないが、前記の如く付勢ピン等とのスペースの取り合いがないので、凹陥部はあまり大きくしなくてもよく、中型３の剛性や強度が不足する心配は少ない。また、装置全体が徒に大型化することもない。
【００５０】
さらに、スライド連結金具７は中型３の側面に固定されて、これと一体に前後に移動するようになっていて、その中型３の前後の移動に伴い上型２及び下型４の係合溝２ｇ，４ｆ同士の全体的な間隔が変化しても、それらの間で同じ間隔となる部位に常に位置するようになるから、このスライド連結金具７の上下の折曲部７ａ，７ａが係合溝２ｇ，４ｆに引っ掛かったりすることもなく、スムーズで安定した動作が可能になる。
【００５１】
尚、本発明に係るレベリング装置１の構成は前記実施形態のものに限定されず、その他の種々の構成をも包含する。例えばスライド連結金具７は、レベリング装置１の左右両側ではなく、いずれか一方のみに配設するだけでもよいし、必ずしも中型３の側面に固定しなくてもよい。
【００５２】
また、前記実施形態では上型２及び下型４にそれぞれボルト貫通孔２ｅや孔部４ｅを設けているが、これも必須の構成ではないし、上型２上面の座面２ｆや、これに載置される受け座２１も省略可能である。さらに、本発明に係る高さ調整機構は、レベリング装置１に限らず、高さ調整が必要な各種用途に適用可能である。
【産業上の利用可能性】
【００５３】
以上の如く本発明に係る高さ調整機構を備えたレべリング装置は、固定用のボルトが上下に貫通可能な構造としても徒に大型化を招くことがなく、持ち運びも比較的容易であるから、工作機械等の据え付けに用いて好適である。
【図面の簡単な説明】
【００５４】
【図１】本発明の実施形態に係るレベリング装置の外観を示す斜視図である。
【図２】同レベリング装置の構造を示す分解斜視図である。
【図３】同レベリング装置の構造を、調整ボルトの中心軸を含む鉛直断面で示す図である。
【図４】スライド連結金具の取付構造を示す拡大断面図である。
【図５】レベリング装置の側面図であり、(a)は基準位置を、(b)は最低位置を、そして(c)は最高位置を、それぞれ示す。
【符号の説明】
【００５５】
１      レベリング装置
２      上型
２ａ    傾斜面（下面）
２ｅ    ボルト貫通孔
２ｆ    座面
２ｇ    係合溝
２１  受け座（荷重受け部材）
３      中型
４      下型
４ａ    傾斜面（上面）
４ｅ    孔部（ボルトの貫通孔）
４ｆ    係合溝
５      調整ボルト
６      支柱
７      スライド連結金具（スライド連結部材）
７ａ    折曲部（係合部）
【図１】
0005013195.tif 000002
【図２】
0005013195.tif 000003
【図３】
0005013195.tif 000004
【図４】
0005013195.tif 000005
【図５】
0005013195.tif 000006